(57)【要約】【課題】録画装置を使用することのできない場所において番組の予約情報入力をしておき、その後、録画装置に対して速やかに予約情報入力を反映させる際の利便性を向上させる。【解決手段】番組予約の際、装着されている可搬型記録媒体のブートレコードにおける全記憶容量から可搬型記録媒体のディレクトリにおける使用容量）を差し引いたものが可搬型記録媒体の残容量として算出される（ステップＳ８０３）。また、各予約モードにおける符号化ビットレートと録画予定時間との積により、必要容量が予約モード毎に算出される（ステップＳ８０４）。このようにして算出された可搬型記録媒体の残容量と各予約モードにおける必要容量とが比較され、可搬型記録媒体の残容量に収まる範囲で最大となる符号化ビットレートが選択され（ステップＳ８０５）、対応する予約モードが省略値として提示される（ステップＳ８０６）。【選択図】図１１
2008252953.tif 000002
【特許請求の範囲】
【請求項１】
可搬型記録媒体から全記憶容量と使用容量とを読み出す容量手段と、
前記全記憶容量と前記使用容量とから前記可搬型記録媒体の残容量を算出する手段と、
予約情報の入力を促して当該予約情報を受ける予約情報入力手段と、
前記予約情報から所要容量を算出する所要容量算出手段と、
前記残容量と前記所要容量とから利用可能なビットレートを算出するビットレート算出手段と、
このビットレート算出手段により算出されたビットレートから予約モードを提示する予約モード提示手段と、
前記予約モードの修正入力があればこれに従って修正した上でこの予約モードを前記予約情報に追加する手段と、
前記予約情報を前記可搬型記録媒体に書き込む書込み手段と
を具備することを特徴とする予約装置。
【請求項２】
前記書込み手段は、前記予約情報を所定形式の予約情報ファイルとして前記可搬型記録媒体に書き込む
ことを特徴とする請求項１記載の予約装置。
【請求項３】
前記所定形式の予約情報ファイルはＸＭＬ言語により記述されている
ことを特徴とする請求項２記載の予約装置。
【請求項４】
前記予約モード提示手段は、前記ビットレート算出手段により算出されたビットレートを上限として最もビットレートが高い予約モードを提示する
ことを特徴とする請求項１記載の予約装置。
【請求項５】
前記予約情報入力手段は、前記予約情報において優先度情報を含む
ことを特徴とする請求項１記載の予約装置。
【請求項６】
前記予約情報入力手段は、前記予約情報において即行の指示を含む
ことを特徴とする請求項１記載の予約装置。
【請求項７】
番組の予約情報を所定の予約情報ファイルとして可搬型記録媒体に書き込む予約装置における予約情報設定方法であって、
可搬型記録媒体から全記憶容量と使用容量とを読み出す手順と、
前記全記憶容量と前記使用容量とから前記可搬型記録媒体の残容量を算出する手順と、
予約情報の入力を促して当該予約情報を受ける手順と、
前記予約情報から所要容量を算出する手順と、
前記残容量と前記所要容量とから利用可能なビットレートを算出する手順と、
このビットレート算出手段により算出されたビットレートから予約モードを提示する手順と、
前記予約モードの修正入力があればこれに従って修正した上でこの予約モードを前記予約情報に追加する手順と、
前記予約情報を前記可搬型記録媒体に書き込む手順と
を具備することを特徴とする予約情報設定方法。
【請求項８】
番組の予約情報を所定の予約情報ファイルとして可搬型記録媒体に書き込む予約装置のためのプログラムであって、
可搬型記録媒体から全記憶容量と使用容量とを読み出す手順と、
前記全記憶容量と前記使用容量とから前記可搬型記録媒体の残容量を算出する手順と、
予約情報の入力を促して当該予約情報を受ける手順と、
前記予約情報から所要容量を算出する手順と、
前記残容量と前記所要容量とから利用可能なビットレートを算出する手順と、
このビットレート算出手段により算出されたビットレートから予約モードを提示する手順と、
前記予約モードの修正入力があればこれに従って修正した上でこの予約モードを前記予約情報に追加する手順と、
前記予約情報を前記可搬型記録媒体に書き込む手順と
をコンピュータに実行させることを特徴とするプログラム。
【発明の詳細な説明】
【技術分野】
【０００１】
本発明は、予約装置に関し、特に、番組の予約情報を可搬型記録媒体に記録する予約装置およびその装置における処理方法ならびに当該方法をコンピュータに実行させるプログラムに関する。
【背景技術】
【０００２】
従来、テレビ放送等の番組を予約録画するためには録画機器に付属のリモコン等を使用して予約入力を行っていた。そして、近年では、外出先から予約入力を行うために通信網を利用した遠隔操作に関する技術が提案されている。例えば、電話回線によりデジタル放送受信装置と接続し、音声ガイダンスに従って電話器の操作ボタンを押下することにより電話回線を介して録画予約を実行する技術が開示されている（例えば、特許文献１参照。）。また、番組情報提供を行うビデオ録画予約装置を設けておき、携帯端末等からの要求に応じてビデオ録画予約装置からビデオ端末に録画予約を行う技術が開示されている（例えば、特許文献２参照。）。
【０００３】
一方、番組の内容が記録される媒体としては、ビデオテープのような磁気記録媒体だけでなく、半導体記録媒体も可搬型の記録媒体として用いられるようになっている（例えば、特許文献３参照。）。
【特許文献１】特開２０００−００４４３４号公報（図２）
【特許文献２】特開２０００−０６７４８８号公報（図１）
【特許文献３】特開平６−０２２２７５号公報（図１）
【発明の開示】
【発明が解決しようとする課題】
【０００４】
上述の従来技術では、外出先で予約入力を行うためには遠隔制御を行うための通信手段が必要となる。また、音声ガイダンスに応答したり、予めビデオ録画予約装置を設けておく等の手間を要する。一方、可搬型記録媒体自体に録画を行うことを想定すると、可搬型記録媒体において予約情報を併せて保持させておくことが便利である。特に、各端末において容易に編集されるためには、予約情報を標準的なファイル形式により保持しておくことが望ましい。
【０００５】
本発明はこのような状況に鑑みてなされたものであり、録画装置を使用することのできない場所において番組の予約情報入力をしておき、その後、録画装置に対して速やかに予約情報入力を反映させる際の利便性を向上することを目的とする。
【課題を解決するための手段】
【０００６】
上記課題を解決するために本発明の予約装置は、可搬型記録媒体から全記憶容量と使用容量とを読み出す容量手段と、上記全記憶容量と上記使用容量とから上記可搬型記録媒体の残容量を算出する手段と、予約情報の入力を促して当該予約情報を受ける予約情報入力手段と、上記予約情報から所要容量を算出する所要容量算出手段と、上記残容量と上記所要容量とから利用可能なビットレートを算出するビットレート算出手段と、このビットレート算出手段により算出されたビットレートから予約モードを提示する予約モード提示手段と、上記予約モードの修正入力があればこれに従って修正した上でこの予約モードを上記予約情報に追加する手段と、上記予約情報を上記可搬型記録媒体に書き込む書込み手段とを具備する。これにより、可搬型記録媒体の残容量に応じた予約モードを省略値として提示するという作用をもたらす。
【０００７】
また、本発明の他の予約装置において、上記書込み手段は上記予約情報を所定形式の予約情報ファイルとして上記可搬型記録媒体に書き込む。これにより、各機器における予約情報ファイルの編集を容易にするという作用をもたらす。
【０００８】
また、本発明の他の予約装置において、上記所定形式の予約情報ファイルはＸＭＬ言語により記述される。これにより、各機器間における情報交換を容易にするという作用をもたらす。
【０００９】
また、本発明の他の予約装置において、上記予約モード提示手段は上記ビットレート算出手段により算出されたビットレートを上限として最もビットレートが高い予約モードを提示する。これにより、可搬型記録媒体の残容量の範囲内で最大限画質の良好な状態となるよう予約モードを省略値として提示するという作用をもたらす。
【００１０】
また、本発明の他の予約装置において、上記予約情報入力手段は上記予約情報において優先度情報を含む。これにより、当該予約情報を優先的に取り扱うべきことを表示させるという作用をもたらす。
【００１１】
また、本発明の他の予約装置において、上記予約情報入力手段は上記予約情報において即行の指示を含む。これにより、可搬型記録媒体を装着後、すみやかに録画動作を開始させるべきことを表示させるという作用をもたらす。
【００１２】
また、本発明の予約情報設定方法は、番組の予約情報を所定の予約情報ファイルとして可搬型記録媒体に書き込む予約装置における予約情報設定方法であって、可搬型記録媒体から全記憶容量と使用容量とを読み出す手順と、上記全記憶容量と上記使用容量とから上記可搬型記録媒体の残容量を算出する手順と、予約情報の入力を促して当該予約情報を受ける手順と、上記予約情報から所要容量を算出する手順と、上記残容量と上記所要容量とから利用可能なビットレートを算出する手順と、このビットレート算出手段により算出されたビットレートから予約モードを提示する手順と、上記予約モードの修正入力があればこれに従って修正した上でこの予約モードを上記予約情報に追加する手順と、上記予約情報を上記可搬型記録媒体に書き込む手順とを具備する。これにより、可搬型記録媒体の残容量に応じた予約モードを省略値として提示するという作用をもたらす。
【００１３】
なお、上記の方法については、各手順を実行させるためのプログラムも本発明に含まれる。
【発明の効果】
【００１４】
本発明によれば、録画装置を使用することのできない場所において番組の予約情報入力をしておき、その後、録画装置に対して速やかに予約情報入力を反映させる際の利便性を向上させることができるという優れた効果を奏し得る。
【発明を実施するための最良の形態】
【００１５】
次に本発明の実施の形態について図面を参照して詳細に説明する。
【００１６】
図１を参照すると、本発明の実施の形態における予約録画システムでは、自宅１０のデジタル放送受信機１００に対して予め予約情報が記録された可搬型記録媒体２００を装着することにより、予約情報が反映される。このデジタル放送受信機１００は録画装置の一例であり、チューナ内蔵型のコンピュータ等であってもよい。
【００１７】
可搬型記録媒体２００に対して予約情報入力を行う機器については様々なものが考えられる。例えば、デスクトップ型コンピュータ３００やノート型コンピュータ４００、および、携帯情報端末（ＰＤＡ：Ｐｅｒｓｏｎａｌ  Ｄｉｇｉｔａｌ  Ａｓｓｉｓｔａｎｃｅ）５００等が考えられる。これら機器の設置場所は何れでもよく、例えば、外出先４０の屋内でもよく、移動中の室外でもよい。また、自宅１０のデジタル放送受信機１００が使用中で予約入力を行えないような場合に、自宅１０内のコンピュータにより予約入力を行うような態様も考えられる。
【００１８】
デジタル放送受信機１００、デスクトップ型コンピュータ３００、ノート型コンピュータ４００、および、携帯情報端末５００の各機器は、可搬型記録媒体２００が装着されるカードスロット部１９０、３９０、４９０、および、５９０をそれぞれ有している。各機器は、これらカードスロット部に可搬型記録媒体２００を装着され、可搬型記録媒体２００との間で読出しまたは書込みを行う。
【００１９】
これにより、ユーザは自己の都合のよい時間に場所を問わず、番組の予約入力を行うことができる。本発明の実施の形態では、以下に説明するように、可搬型記録媒体２００に保持させる予約情報を標準的なファイル形式とすることで、各機器における編集を容易にする。また、最新の予約情報がデジタル放送受信機１００に反映されるように予約情報の更新時を管理する一方で、更新時にかかわらず強制的に予約情報を反映させるための手段を備えている。
【００２０】
この可搬型記録媒体２００は、予約情報のみならず番組の内容を録画することもできる。デジタル放送受信機１００において録画された可搬型記録媒体２００は、そのままデジタル放送受信機１００において再生させることができ、また他のデジタル放送受信機において再生させることもできる。さらに、デスクトップ型コンピュータ３００、ノート型コンピュータ４００、および、携帯情報端末５００等の各機器においても、再生用のアプリケーションを設けることにより、可搬型記録媒体２００上に録画された内容を再生させることができる。
【００２１】
図２を参照すると、本発明の実施の形態におけるデジタル放送受信機１００は、制御部１１０と、メモリ部１２０と、フラッシュ部１２９と、チューナ１３１と、外部入力部１３２と、ネットワーク入出力部１３３と、復調部１３４と、デマルチプレクサ１４０と、音声復号部１４１と、画像復号部１４２と、スイッチ部１５０と、デジタル−アナログ（Ｄ／Ａ）変換部１６０と、音声出力部１６１と、画像出力部１６２と、マルチプレクサ１７０と、音声符号化部１７１と、画像符号化部１７２と、バス１８０と、カードスロット部１９０とを備える。また、外部機器として、アンテナ１０９と、スピーカ１０１と、ディスプレイ１０２とを接続する。
【００２２】
制御部１１０は、デジタル放送受信機１００全体の動作を制御する。この制御部１１０は、例えばＣＰＵにより構成される。メモリ部１２０は、制御部１１０の主記憶に該当し、制御部１１０上で動作するプログラムや番組の予約情報を管理する予約管理テーブル等が記憶される。フラッシュ部１２９は、不揮発性の記録媒体であり、デジタル放送受信機１００の電源を切った後で再び必要とされる情報を保持するために使用される。従って、デジタル放送受信機１００の電源が入ると、このフラッシュ部１２９の内容がメモリ部１２０に転送されるようになっている。
【００２３】
チューナ１３１は、アンテナ１０９から供給された放送信号から制御部１１０の制御によって所定チャンネルの信号を検波して復調部１３４に供給する。放送信号は、地上波でもよく、放送衛星（ＢＳ：Ｂｒｏａｄｃａｓｔｉｎｇ  Ｓａｔｅｌｌｉｔｅ）放送や通信衛星（ＣＳ：Ｃｏｍｍｕｎｉｃａｔｉｏｎ  Ｓａｔｅｌｌｉｔｅ）放送による衛星信号でもよい。復調部１３４は、制御部１１０の制御によりチューナ１３１からの放送信号を復調してデータを取り出してデマルチプレクサ１４０に供給する。デジタル放送の場合は、例えば位相変調（ＰＳＫ）等によりデジタル変調されており、復調部１３４はこのデジタル変調された信号からデータを取り出す。
【００２４】
外部入力部１３２は、デジタル放送受信機１００の外部からの入力を接続する。この外部入力信号としては、アナログ信号でもよく、デジタル信号でもよい。アナログ信号の場合は、外部入力部１３２は、制御部１１０の制御により、音声データを音声出力部１６１に、また画像データを画像出力部１６２に、それぞれ供給する。これら音声データおよび画像データは同時にスイッチ部１５０にも供給される。デジタル信号の場合は、外部入力部１３２は、制御部１１０の制御により、デジタル信号を復調部１３４に供給する。
【００２５】
ネットワーク入出力部１３３は、デジタル放送受信機１００と外部のネットワークとを接続するものであり、制御部１１０の制御により例えばＴＣＰ／ＩＰ等のプロトコルを用いて通信処理を行い、データを抽出してデマルチプレクサ１４０へ供給する。
【００２６】
デマルチプレクサ１４０は、復調部１３４またはネットワーク入出力部１３３からのデータを音声データと画像データとに分離して、音声復号部１４１および画像復号部１４２にそれぞれ供給する。デマルチプレクサ１４０は、例えばデジタルデータのトランスポートデコーダとして機能し、ＭＰＥＧ（Ｍｏｖｉｎｇ  Ｐｉｃｔｕｒｅ  Ｅｘｐｅｒｔｓ  Ｇｒｏｕｐ）２のトランスポートストリームを音声データとしての音声ストリームと画像データとしての画像ストリームとに分離する。また、デマルチプレクサ１４０は、メモリ部１２０からのデータもバス１８０を介して受け取ることができる。
【００２７】
音声復号部１４１および画像復号部１４２は、デマルチプレクサ１４０から供給された音声データおよび画像データをそれぞれ復号して、スイッチ部１５０に供給する。例えば、ＭＰＥＧ符号化された音声ストリームおよび画像ストリームをＭＰＥＧ復号して、音声信号および画像信号とする。画像復号部１４２はさらに、復号した画像信号を、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式に変換することができ、その場合はスイッチ部１５０を介して画像出力部１６２に接続してこのＮＴＳＣ方式の信号をディスプレイ１０２に表示させる。
【００２８】
スイッチ部１５０は、外部入力部１３２または音声復号部１４１および画像復号部１４２から供給されたデータを、制御部１１０の制御によりＤ／Ａ変換部１６０、音声出力部１６１および画像出力部１６２、または、音声符号化部１７１および画像符号化部１７２に出力する。例えば、スピーカ１０１およびディスプレイ１０２に出力する場合には、デジタル信号であればＤ／Ａ変換部１６０を介し、アナログ信号であれば音声出力部１６１および画像出力部１６２に直接出力する。一方、ＭＰＥＧ化する必要がある場合には音声符号化部１７１および画像符号化部１７２に出力する。この場合、音声符号化部１７１および画像符号化部１７２により符号化されたデータはマルチプレクサ１７０により多重化され、例えばＭＰＥＧ２のトランスポートストリームを構成する。
【００２９】
カードスロット部１９０は、可搬型記録媒体２００が装着され、制御部１１０の制御により可搬型記録媒体２００に対してデータの読出しおよび書込みを行う。例えば、マルチプレクサ１７０により生成されたデータはバス１８０を介してカードスロット部１９０に装着された可搬型記録媒体２００に記録される。なお、このカードスロット部１９０は、デジタル放送受信機１００の例えば正面に設けられ、可搬型記録媒体２００を着脱するための便宜が図られている。
【００３０】
図３は本発明の実施の形態における機能構成を示す図である。予約情報ファイル２０１は、可搬型記録媒体２００に記録された予約情報を保持するファイルであり、デジタル放送受信機１００におけるカードスロット部１９０の読出し部１９１により読み出される。予約管理テーブル１２１は、デジタル放送受信機１００において予約情報を管理するために使用されるテーブルであり、メモリ部１２０に保持される。
【００３１】
更新時比較部１１１は、予約情報ファイル２０１および予約管理テーブル１２１の更新時を比較して、何れの内容が新しいかを出力する。優先度検出部１１２は、予約情報ファイル２０１に保持された優先度情報を検出して、当該予約情報が最優先のものか通常のものかを出力する。更新制御部１１３は、予約情報ファイル２０１の内容によって予約管理テーブル１２１を更新するか否かを制御するものである。もし予約情報ファイル２０１の内容が予約管理テーブル１２１よりも新しいものであれば、予約情報ファイル２０１の内容によって予約管理テーブル１２１を更新するよう制御する。また、もし予約情報ファイル２０１の優先度情報が最優先を示していれば、予約情報ファイル２０１の内容が予約管理テーブル１２１よりも新しいか否かにかかわらず、予約情報ファイル２０１の内容によって予約管理テーブル１２１を更新するよう制御する。
【００３２】
即行検出部１１４は、予約情報ファイル２０１に保持された予約日時情報を検出して、予約された日時が「即行」であるか否かを出力する。この「即行」とは、後述するように、可搬型記録媒体２００が装着されてから所定時間経過後に録画動作を開始するように予約されたものである。
【００３３】
抜去警告部１１５は、カードスロット部１９０に装着されている可搬型記録媒体２００の予約情報ファイル２０１の優先度情報が最優先を示しているかまたは予約日時情報が即行を示している場合において、当該可搬型記録媒体２００が抜去されようとすると警告を発生する。可搬型記録媒体２００が抜去される際にはカードスロット部１９０から抜去警告部１１５にその旨の制御信号が供給され、上述の条件を満たしている場合には抜去警告部１１５は例えばディスプレイ１０２やスピーカ１０１等に警告の旨を示す。優先度情報が最優先を示している場合や予約日時情報が即行を示している場合には、その可搬型記録媒体２００自体に録画することを意図していることが想定されるため、誤って抜去することを防止するために警告を発生するものである。但し、ユーザが自己の意図に反して異なる可搬型記録媒体２００を装着した後でそれに気が付き、他の可搬型記録媒体２００に交換しようとして抜去することも考えられるため、その警告に従わずに抜去することも許容される。なお、警告の内容としては、抜去する意思を確認することや、予約管理テーブル１２１に反映された当該予約情報を取り消すか否かを確認することが考えられる。
【００３４】
なお、これら更新時比較部１１１、優先度検出部１１２、更新制御部１１３、即行検出部１１４、および、抜去警告部１１５の処理は、デジタル放送受信機１００における制御部１１０により実現することができる。
【００３５】
図４は予約管理テーブル１２１の論理的な内容の一例として、ある週の予約情報を視覚的に表したものである。予約情報１２１１は、各日時における予約内容を保持している。例えば、１３日の月曜日には１２時から１４時まで予約されていることが示されている。また、この予約情報には、予約日時以外の情報も保持されており、例えば、予約チャンネルや記録する画質等の情報が含まれている。この予約情報は日時毎に管理されており、予約情報ファイル２０１の内容により更新される場合において日時が重なるようなことがあると、古い予約情報は新しい予約情報に上書きされる。
【００３６】
最終更新時１２１２は、ファイルに付随する更新時とは別に管理される。これは、例えば、メモリ部１２０とフラッシュ部１２９との間で転送される際にファイルの更新時が書き換えられる等の事態が生じることを考慮したものである。
【００３７】
この予約管理テーブル１２１の内容は、デジタル放送受信機１００におけるアプリケーションにより閲覧可能である。本発明は他機器による予約情報入力を想定しているが、従来通り付属のリモコン等により予約情報を変更することが可能であることはいうまでもない。
【００３８】
図５は可搬型記録媒体２００の論理構造の一例を示す図である。本発明の実施の形態においては、種々の機器において容易に予約情報ファイル２０１の編集ができるように、ファイル管理システムとして、汎用オペレーティングシステムで採用されている様々なファイル形式を採用できる。一般的なファイル管理システムの一例として、ブートレコード２１０と、ファイルアロケーションテーブル２２０と、ディレクトリ２３０と、データ領域２４０とが設けられたファイル管理システムについて説明する。
【００３９】
ブートレコード２１０は、システム起動用のブートプログラムや可搬型記録媒体２００に関する総合的な情報が記載されている。その情報の一つとして、可搬型記録媒体２００に記録可能な全記憶容量２１１が含まれている。この全記憶容量２１１を参照することにより、当該可搬型記録媒体２００に最大限記録可能な容量を知ることができる。
【００４０】
データ領域２４０は、所定の大きさのクラスタに分割されており、各クラスタ間の関係がファイルアロケーションテーブル２２０により管理され、ファイル名とクラスタとの関係がディレクトリ２３０により管理される。例えば、ファイルアロケーションテーブル２２０は、データ領域２４０の各クラスタに対応して、次のクラスタ番号を保持する。また、ディレクトリ２３０は、ファイル毎にファイル名、先頭クラスタ番号、および、更新日時等を保持する。また、ディレクトリ２３０は、使用ファイルの総容量を使用容量２３１として保持している。この使用容量２３１を参照することにより、当該可搬型記録媒体２００にて使用されている容量を知ることができるため、これを上述の全記憶容量２１１から減ずることにより残容量を算出することができる。
【００４１】
このようにして設けられたファイル管理システムにおいて、予約情報ファイル２０１は、所定の階層（例えば、ディレクトリやフォルダ等と呼ばれる。）において所定のファイル名が付与されていることが望ましい。これにより、各機器において可搬型記録媒体２００から容易に予約情報ファイル２０１を取得することができる。
【００４２】
なお、この可搬型記録媒体２００としては、例えば、メモリースティック（登録商標）のような半導体記録媒体を用いることができる。
【００４３】
図６は本発明の実施の形態における予約情報の種類の一例を示す図である。予約情報は、一例として、予約チャンネル、予約日時、予約モード、予約情報ファイル更新時を含む。予約チャンネルの指定方法としては、チャンネル番号を明示的に指定する方法（チャンネル指定）、および、視聴中のチャンネルを予約チャンネルとして指定する方法（視聴中チャンネル）がある。多画面が表示されている場合において視聴中チャンネルが指定されたときには、主画面を視聴中であるとみなして予約チャンネルとすることが考えられる。
【００４４】
予約日時の指定方法としては、毎時所定時刻を指定する方法（毎時）、毎週所定曜日の所定時刻を指定する方法（毎週）、毎月所定日付の所定時刻を指定する方法（毎月）、具体的な開始時刻および終了時刻を指定する方法等がある。また、予約日時を絶対的には指定せずに可搬型記録媒体２００がカードスロット部１９０に装着された時からの相対的な時刻により指定する方法（即行）も考えられる。この即行を選択した場合において０分後を指定すれば、可搬型記録媒体２００装着後すみやかに録画を開始させるようにすることができる。
【００４５】
予約モードは符号化のビットレートを指定するものであり、ビットレートを高くする程、高い画質により記録することができる。例えば、符号化ビットレートを、高画質モードで４Ｍ［ビット／秒（ｂｐｓ）］、中画質モードで１Ｍ［ビット／秒］、そして、低画質モードで６００Ｋ［ビット／秒］、と定義することができる。
【００４６】
予約情報ファイル更新時としては、更新時および優先度が記録される。更新時は予約情報ファイル２０１の実際の更新時であり、入力に使用された機器のシステムカレンダの情報が用いられる。従って、この更新時はユーザが特に指定する情報ではない。一方、優先度はユーザが指定するものであり、当該予約情報ファイル２０１の予約情報が予約管理テーブル１２１内のいかなる予約情報よりも優先すべきものであること（最優先）を指定できる。更新制御部１１３（図３）は通常の場合は予約管理テーブル１２１の更新時よりも予約情報ファイル２０１の更新時が新しいときにのみ予約情報ファイル２０１の内容を予約管理テーブル１２１に反映するが、優先度が最優先であることを示している場合には更新時の優劣にかかわらず更新制御部１１３は予約情報ファイル２０１の内容を予約管理テーブル１２１に反映する。
【００４７】
ここで説明した予約日時が即行の場合や優先度が最優先である場合は、その予約情報が記録された可搬型記録媒体２００自体に録画をすることを前提としていることが想定される。そこで、上述のように、これらの指定がされている場合において装着中の可搬型記録媒体２００が抜去されようとすると抜去警告部１１５が警告を発生する。
【００４８】
図７はユーザが予約情報入力を行うための画面例である。各入力欄については左側のボタン部分をクリックすると選択用ポップアップウィンドウが開くようになっている。予約チャンネルについては、指定方法選択欄６１０において「チャンネル指定」を選択すると、チャンネル指定欄６１１が有効になる。このチャンネル指定欄６１１によって任意のチャンネルを指定することができる。予約日時については、指定方法選択欄６２０において「開始時刻」を選択すると、時刻指定欄６２１乃至６２５が有効になる。これら時刻指定欄６２１乃至６２５によって任意の開始時刻を指定することができる。予約モードについては、モード選択欄６３０において画質を指定することができる。この例では「中画質」が指定されている。優先度については、優先度選択欄６４０において優先度を指定することができる。この例では「通常」が指定されている。
【００４９】
ここで、予約モードを選択するに際して、ユーザは何らかの目安を欲する場合がある。そこで、本発明の実施の形態では、予約モードの省略値を番組予約メニュー上に提示してユーザが修正できるようにしておき、ユーザがそのままで内容を確定した場合にはその省略値を採用する。省略値の設定方法としては、常に何れかの害質を推奨することもできるが、ここでは可搬型記録媒体２００の残容量が許容する範囲でより高い画質を推奨する方法について説明する。
【００５０】
符号化ビットレートをＸ［ビット／秒］、録画予定時間をＹ［秒］、可搬型記録媒体２００の残容量をＺ［ビット］とした場合、
Ｚ ≧ Ｘ × Ｙ
が成立する範囲で最も大きいＸを選択して提示すれば、可搬型記録媒体２００の残容量が許容する範囲でより高い画質を推奨することができる。ここで、可搬型記録媒体２００の残容量は、可搬型記録媒体２００のブートレコード２１０における全記憶容量２１１（図５）から可搬型記録媒体２００のディレクトリ２３０における使用容量２３１（図５）を差し引いた値として取得することが可能である。
【００５１】
例えば、符号化ビットレートＸを、高画質モードで４Ｍ［ビット／秒］、中画質モードで１Ｍ［ビット／秒］、そして、低画質モードで６００Ｋ［ビット／秒］、と定義すると、録画予定時間Ｙが１時間（＝３６００秒）の場合、それぞれのモードにおける必要容量は以下のようになる。
高画質モード： ４Ｍ×３６００［ビット］＝１８００Ｍ［バイト］
中画質モード： １Ｍ×３６００［ビット］＝４５０Ｍ［バイト］
低画質モード： ６００Ｋ×３６００［ビット］≒２６４Ｍ［バイト］
【００５２】
従って、例えば購入直後の５１２Ｍ［バイト］の可搬型記録媒体２００であれば中画質モードまたは低画質モードの何れであっても録画することが可能である。そこで、番組予約メニュー上では省略値として中画質モードを提示することになる。
【００５３】
なお、可搬型記録媒体２００の残容量によっては、何れのモードであっても録画予定時間分を完全には録画することができない場合も生じ得る。この場合、低画質モードを提示した上で、完全には録画できない旨を表示して、予約入力のキャンセルを促すか、または、残容量の多い媒体への交換を促す等の対処をすることが考えられる。
【００５４】
図８は図７の予約入力例により生成される予約情報ファイル２０１の一例を示す図である。ここでは標準的ファイル形式としてＸＭＬ（ｅＸｔｅｎｓｉｂｌｅ  Ｍａｒｋｕｐ  Ｌａｎｇｕａｇｅ）言語による例を示しているが、これはＨＴＭＬ（Ｈｙｐｅｒ  Ｔｅｘｔ  Ｍａｒｋｕｐ  Ｌａｎｇｕａｇｅ）言語やＢＭＬ（Ｂｒｏａｄｃａｓｔ  Ｍａｒｋｕｐ  Ｌａｎｇｕａｇｅ）言語等の他の国際標準化言語によってもよく、また、ある特定の機器間で取り決められた規則に基づいた非標準化言語によってもよい。
【００５５】
第１行目は当該ファイルがＸＭＬ言語によるものであることを示す宣言文である。第２行目は最終行までの部分が予約情報ファイルであることを示すタグである。第３行目では予約チャンネルについて「チャンネル指定」による記述がされている。第４行目は第６行目までの部分が予約日時に関する記述であることを示すタグである。この予約日時について、第５行目では開始時刻が記述されている。第７行目では予約モードが「中画質」である旨が記述されている。第８行目では更新時が記述されている。第９行目では優先度が「通常」である旨が記述されている。
【００５６】
図９はユーザが予約情報入力を行う他の画面例である。この例では、予約チャンネルについては、指定方法選択欄６１０において「視聴中チャンネル」が選択されており、チャンネル指定欄６１１は表示されていない。予約日時については、指定方法選択欄６２０において「即行」が選択されており、時刻指定欄６２６が有効になっている。予約モードについては、モード選択欄６３０において「高画質」が指定されている。また、優先度については、優先度選択欄６４０において「最優先」が指定されている。
【００５７】
次に本発明の実施の形態における予約録画システムの動作について図面を参照して説明する。
【００５８】
図１１はデスクトップ型コンピュータ３００、ノート型コンピュータ４００、および、携帯情報端末５００等の各機器における予約情報入力の手順を示す図である。ユーザは、図７および図９で示した番組予約メニューに従って以下の手順で入力を行う。まず、予約チャンネルの指定方法として、チャンネル指定を行うか視聴中のチャンネルであるかを選ぶ（ステップＳ８０１）。チャンネル指定の場合にはさらに具体的なチャンネルを指定する。次に、予約日時として何れの指定方法によるかを選択する（ステップＳ８０２）。番組予約メニューでは指定方法に応じて日時の指定が促される。
【００５９】
次に、装着されている可搬型記録媒体２００の残容量が算出される（ステップＳ８０３）。すなわち、上述のように、可搬型記録媒体２００のブートレコード２１０における全記憶容量２１１（図５）から可搬型記録媒体２００のディレクトリ２３０における使用容量２３１（図５）を差し引いたものが可搬型記録媒体２００の残容量として算出される。
【００６０】
一方、予約日時に応じた必要容量が各予約モード毎に算出される（ステップＳ８０４）。すなわち、上述のように、各予約モードにおける符号化ビットレートと録画予定時間との積により必要容量が算出される。
【００６１】
そして、このようにして算出された可搬型記録媒体２００の残容量と各予約モードにおける必要容量とが比較され、可搬型記録媒体２００の残容量に収まる範囲で最大となる符号化ビットレートが選択され（ステップＳ８０５）、対応する予約モードが省略値として提示される（ステップＳ８０６）。ユーザは、この省略値を変更して予約モード入力をすることもでき（ステップＳ８０８）、また、そのまま省略値を予約モードとして採用することもできる（ステップＳ８０７）。
【００６２】
さらに優先度が選択されることにより（ステップＳ８０９）、予約情報入力の設定は終了する（ステップＳ８１０）。最後に可搬型記録媒体２００上の予約情報ファイル２０１にこれら設定した値が反映され、システムカレンダに基づいて更新時が記録される（ステップＳ８１１）。
【００６３】
図１２はデジタル放送受信機１００における予約管理テーブル１２１の更新手順を示す図である。カードスロット部１９０に可搬型記録媒体２００が装着されると（ステップＳ９０１）、可搬型記録媒体２００内の予約情報ファイル２０１が検索される（ステップＳ９０２）。可搬型記録媒体２００の所定階層に予約情報ファイル２０１が存在しなければ、予約管理テーブル１２１の更新は行われない（ステップＳ９０３）。可搬型記録媒体２００内に予約情報ファイル２０１が存在すれば（ステップＳ９０３）、その予約情報ファイル２０１において使用されている言語が検索される（ステップＳ９０４）。この使用言語は、ファイル名やファイル先頭のタグ等によって調べることができる。検索された言語が対応可能な言語でなければ予約管理テーブル１２１の更新は行われない（ステップＳ９０５）。
【００６４】
検索された言語が対応可能な言語であれば（ステップＳ９０５）、予約情報ファイル更新時の情報として更新時と優先度が検索される（ステップＳ９０６）。優先度が最優先を示しているか（ステップＳ９０７）または予約情報ファイル２０１の更新時が予約管理テーブル１２１の更新時よりも新しいものであれば（ステップＳ９０８）、予約情報ファイル２０１の予約情報により予約管理テーブル１２１を更新する（ステップＳ９０９）。逆に、優先度が最優先を示しておらず（ステップＳ９０７）且つ予約情報ファイル２０１の更新時が予約管理テーブル１２１の更新時よりも古ければ（ステップＳ９０８）、予約管理テーブル１２１の更新は行われない。
【００６５】
その後、可搬型記録媒体２００が抜去されるまでは（ステップＳ９１０）、この更新手順は実行されない。可搬型記録媒体２００が抜去されて、再び可搬型記録媒体２００が装着されると（ステップＳ９０１）、上述の更新手順が実行される。
【００６６】
このように、本発明の実施の形態によれば、デスクトップ型コンピュータ３００、ノート型コンピュータ４００、および、携帯情報端末５００等の各機器において番組の予約情報入力を行って予約情報ファイル２０１として可搬型記録媒体２００に書き込んでおき、この可搬型記録媒体２００をデジタル放送受信機１００のカードスロット部１９０に装着することにより、デジタル放送受信機１００の予約管理テーブル１２１を適宜更新することができる。
【００６７】
また、本発明の実施の形態によれば、可搬型記録媒体２００の予約情報ファイル２０１の更新時とデジタル放送受信機１００の予約管理テーブル１２１の更新時とを比較することにより最新の予約情報を予約管理テーブル１２１に反映させるとともに、予約情報の優先度に応じて柔軟に予約管理テーブル１２１への反映を制御することができる。
【００６８】
さらに、本発明の実施の形態によれば、予約情報の予約日時として即行を指定できるようにしたことによって、特定の可搬型記録媒体２００をデジタル放送受信機１００に装着すると所定時間経過後に録画を開始させることができる。
【００６９】
また、ここでは本発明の実施の形態を例示したものであり、本発明はこれに限られず、本発明の要旨を逸脱しない範囲において種々の変形を施すことができる。
【００７０】
また、ここで説明した処理手順はこれら一連の手順を有する方法として捉えてもよく、これら一連の手順をコンピュータに実行させるためのプログラム乃至そのプログラムを記憶する記録媒体として捉えてもよい。
【図面の簡単な説明】
【００７１】
【図１】本発明による予約録画システムの実施の形態の全体構成を示す発明概念図である。
【図２】本発明の実施の形態におけるデジタル放送受信機１００の構成を示すブロック図である。
【図３】本発明の実施の形態における機能構成を示す図である。
【図４】本発明の実施の形態における予約管理テーブル１２１の論理的な内容の一例を示す図である。
【図５】本発明の実施の形態における可搬型記録媒体２００の論理構造の一例を示す図である。
【図６】本発明の実施の形態における予約情報の種類の一例を示す図である。
【図７】本発明の実施の形態においてユーザが予約情報入力を行うための画面の一例である。
【図８】図７の予約入力例により生成される予約情報ファイル２０１の一例を示す図である。
【図９】本発明の実施の形態においてユーザが予約情報入力を行うための画面の他の例である。
【図１０】図９の予約入力例により生成される予約情報ファイル２０１の一例を示す図である。
【図１１】本発明の実施の形態における各機器における予約情報入力の手順を示す図である。
【図１２】本発明の実施の形態におけるデジタル放送受信機１００による予約管理テーブル１２１の更新手順を示す図である。
【符号の説明】
【００７２】
１０  自宅
４０  外出先
１００  デジタル放送受信機
１０１  スピーカ
１０２  ディスプレイ
１０９  アンテナ
１１０  制御部
１１１  更新時比較部
１１２  優先度検出部
１１３  更新制御部
１１４  即行検出部
１１５  抜去警告部
１２０  メモリ部
１２１  予約管理テーブル
１２９  フラッシュ部
１３１  チューナ
１３２  外部入力部
１３３  ネットワーク入出力部
１３４  復調部
１４０  デマルチプレクサ
１４１  音声復号部
１４２  画像復号部
１５０  スイッチ部
１６０  Ｄ／Ａ変換部
１６１  音声出力部
１６２  画像出力部
１７０  マルチプレクサ
１７１  音声符号化部
１７２  画像符号化部
１８０  バス
１９０  カードスロット部
２００  可搬型記録媒体
２０１  予約情報ファイル
２１０  ブートレコード
２２０  ファイルアロケーションテーブル
２３０  ディレクトリ
２４０  データ領域
３００  デスクトップ型コンピュータ
３９０  カードスロット部
４００  ノート型コンピュータ
４９０  カードスロット部
５００  携帯情報端末
５９０  カードスロット部
【図１】
2008252953.tif 000003
【図２】
2008252953.tif 000004
【図３】
2008252953.tif 000005
【図４】
2008252953.tif 000006
【図５】
2008252953.tif 000007
【図６】
2008252953.tif 000008
【図７】
2008252953.tif 000009
【図８】
2008252953.tif 000010
【図９】
2008252953.tif 000011
【図１０】
2008252953.tif 000012
【図１１】
2008252953.tif 000013
【図１２】
2008252953.tif 000014